(57)【要約】 【課題】  ＣＤ用レーザ光、ＤＶＤ用レーザ光を適切に結像させるディスク装置を提供する。【解決手段】  光ピックアップの対物レンズ部３４０に、対物レンズ３５０を保持する保持凹部３６１Ｂと、ＣＤ用レーザ光の周縁近傍を遮光して対物レンズ３５０にてＣＤで結像させ、ＤＶＤ用レーザ光を透過させて対物レンズ３５０にてＤＶＤで結像させるＣＤ光非透過部３６１Ｆと、を備えたレンズホルダ３６０を設けている。このため、ＣＤ用レーザ光の結像に関与しない周縁近傍を遮光する部材を対物レンズ部３４０と離隔して設ける必要がなく、ＣＤ用レーザ光の光束径を調整して結像させＤＶＤ用レーザ光を結像させる構成の小型化を図ることができる。また、対物レンズ部３４０は、結像に関与しない周縁近傍が遮光されたＣＤ用レーザ光の全てを結像させることができＣＤ用レーザ光のフレアの発生を防止できる。【選択図】 図３
2006179040.tif 000002
【特許請求の範囲】
【請求項１】
異なる波長の複数の光が略同一の光軸上で進行する光路上に位置して前記複数の光を被結像部材上で結像させる光学部材を保持する光学部材保持装置であって、
前記光学部材を前記光路上に位置する状態に保持する保持部と、
前記複数の光のうち所定の波長の前記光の一部を遮光しこの一部が遮光された前記光を前記光学部材により前記被結像部材上で結像させ、前記所定の波長の光と異なる少なくともいずれか１つの波長の前記光を透過させて前記光学部材により前記被結像部材上で結像させる選択光透過部と、
を具備したことを特徴とした光学部材保持装置。
【請求項２】
請求項１に記載の光学部材保持装置であって、
前記複数の光における前記選択光透過部に入射されずかつ前記被結像部材上で結像されない周縁近傍を遮光する非結像部分遮光部を具備した
ことを特徴とした光学部材保持装置。
【請求項３】
請求項１に記載の光学部材保持装置であって、
前記光学部材は、対物レンズであり、
透光性を有する材料により略環状に形成され前記略環状の軸が前記光軸と略一致する状態に配設された環状部材を具備し、
前記保持部は、前記環状部材の前記軸と略直交する一面に前記対物レンズの周縁近傍に対応した曲率の凹面状に形成され、前記対物レンズの周縁近傍を載置する状態に係合して前記対物レンズを前記光路上に位置する状態に保持し、
前記選択光透過部は、前記環状部材の内縁から径方向外側の所定の位置にかけての略環状部分に設けられ、前記所定の波長の光の一部を遮光するとともにこの一部以外を前記環状部材の中空部を進行させて前記光を前記対物レンズにより前記被結像部材上で結像させ、前記所定の波長の光と異なる少なくともいずれか１つの波長の光の一部を透過させるとともにこの一部以外を前記中空部を進行させて前記光を前記対物レンズにより前記被結像部材上で結像させる
ことを特徴とした光学部材保持装置。
【請求項４】
異なる波長の複数の光が略同一の光軸上で進行する光路上に位置して前記複数の光を被結像部材上で結像させる対物レンズを保持する光学部材保持装置であって、
透光性を有する材料により略環状に形成され前記略環状の軸が前記光軸と略一致する状態に配設された環状部材を具備し、
前記環状部材は、
前記軸と略直交する一面に前記対物レンズの周縁近傍に対応した曲率の凹面状に形成され、前記対物レンズの周縁近傍を載置する状態に係合して前記対物レンズを前記光路上に位置する状態に保持する保持部と、
内縁から径方向外側の所定の位置にかけての略環状部分に設けられ、前記複数の光のうち所定の波長の前記光の一部を遮光するとともにこの一部以外を中空部を進行させて前記光を前記対物レンズにより前記被結像部材上で結像させ、前記所定の波長の光と異なる少なくともいずれか１つの波長の光の一部を透過させるとともにこの一部以外を前記中空部を進行させて前記光を前記対物レンズにより前記被結像部材上で結像させる選択光透過部と、
を備えたことを特徴とした光学部材保持装置。
【請求項５】
請求項３または請求項４に記載の光学部材保持装置であって、
前記環状部材は、前記選択光透過部の周縁を囲む略環状部分に設けられ、前記複数の光における前記選択光透過部に入射されずかつ前記被結像部材上で結像されない周縁近傍を遮光する非結像部分遮光部を備えた
ことを特徴とした光学部材保持装置。
【請求項６】
請求項５に記載の光学部材保持装置であって、
前記環状部材は、前記軸と略直交する他面の内縁近傍から先端にしたがって縮径する略円錐台筒状に膨出し、外周面の母線における傾斜角が前記複数の光の光軸に対して臨界角以上となる形状に形成された膨出部を備え、
前記選択光透過部は、前記環状部材における前記膨出部の先端面に対応する略環状部分に設けられ、
前記非結像部分遮光部は、前記膨出部の前記外周面であり、前記複数の光における前記周縁近傍を全反射させて遮光する
ことを特徴とした光学部材保持装置。
【請求項７】
請求項５に記載の光学部材保持装置であって、
前記非結像部分遮光部は、前記軸と略直交する一面または他面における前記選択光透過部の周縁を囲む略環状部分が前記複数の光を乱反射させる状態に表面処理された表面処理部であり、前記複数の光における前記周縁近傍を乱反射させて遮光する
ことを特徴とした光学部材保持装置。
【請求項８】
請求項５ないし請求項７のいずれかに記載の光学部材保持装置であって、
前記非結像部分遮光部は、前記略環状部分の最大外径が前記対物レンズの直径よりも大きくなる状態に形成された
ことを特徴とした光学部材保持装置。
【請求項９】
請求項３ないし請求項８のいずれかに記載の光学部材保持装置であって、
前記環状部材は、前記所定の波長の光を透過させずかつ前記所定の波長の光と異なる少なくともいずれか１つの波長の光を透過させる材料により略環状に形成された
ことを特徴とした光学部材保持装置。
【請求項１０】
異なる波長の複数の光が略同一の光軸上で進行する光路上に位置して前記複数の光を被結像部材上で結像させる光学部材であって、
周縁近傍の略環状部分に設けられ、前記複数の光のうち所定の波長の前記光の一部を遮光しこの一部が遮光された前記光を前記光学部材により前記被結像部材上で結像させ、前記所定の波長の光と異なる少なくともいずれか１つの波長の前記光を透過させて前記光学部材により前記被結像部材上で結像させる選択光透過部を具備した
ことを特徴とした光学部材。
【請求項１１】
請求項１０に記載の光学部材であって、
前記選択光透過部は、薄膜である
ことを特徴とした光学部材。
【請求項１２】
請求項１０または請求項１１に記載の光学部材であって、
前記選択光透過部の周縁を囲む略環状部分に設けられ、前記複数の光における前記選択光透過部に入射されずかつ前記被結像部材上で結像されない部分を遮光する非結像部分遮光部を具備した
ことを特徴とした光学部材。
【請求項１３】
請求項１ないし請求項９のいずれかに記載の光学部材保持装置と、
この光学部材保持装置の前記保持部により前記光路上に位置する状態に保持された前記光学部材と、
を具備したことを特徴とした光学装置。
【請求項１４】
請求項１０ないし請求項１２のいずれかに記載の光学部材と、
この光学部材を前記光路上に位置する状態に保持する保持部材と、
を具備したことを特徴とした光学装置。
【請求項１５】
異なる波長の複数の光が略同一の光軸上で進行する光路上に位置して前記複数の光を被結像部材上で結像させる光学部材、および、この光学部材を前記光路上に位置する状態に保持する保持部材を備えた光学装置であって、
前記光学部材および前記保持部材のうちの少なくともいずれか一方に設けられ、前記複数の光のうち所定の波長の前記光の一部を遮光しこの一部が遮光された前記光を前記光学部材により前記被結像部材上で結像させ、前記所定の波長の光と異なる少なくともいずれか１つの波長の前記光を透過させて前記光学部材により前記被結像部材上で結像させる選択光透過部を具備した
ことを特徴とした光学装置。
【請求項１６】
請求項１５に記載の光学装置であって、
前記光学部材および前記保持部材のうちの少なくともいずれか一方に設けられ、前記複数の光における前記選択光透過部に入射されずかつ前記被結像部材上で結像されない周縁近傍を遮光する非結像部分遮光部を具備した
ことを特徴とした光学装置。
【請求項１７】
互いに異なる波長の複数の光を略同一の光軸上で進行する状態に出射する光出射部と、
請求項１３ないし請求項１６のいずれかに記載の光学装置と、
を具備したことを特徴とした光ピックアップ。
【請求項１８】
請求項１７に記載の光ピックアップと、
各種情報が所定の記録形式で記録された記録面を有する前記被結像部材としてのディスク状記録媒体を回転させる駆動手段と、
前記記録面に記録された前記情報の読取および前記情報の記録のうちの少なくともいずれか一方の処理をする情報処理手段と、
を具備し、
前記光ピックアップの前記光学装置は、前記複数の光を前記ディスク状記録媒体の前記記録面上で結像させ、
前記情報処理手段は、前記記録面で反射された前記光に基づいて前記いずれか一方の処理をする
ことを特徴としたディスク装置。
【発明の詳細な説明】
【技術分野】
【０００１】
本発明は、異なる波長の複数の光が略同一光軸上で進行する光路上に位置して複数の光を結像させる光学部材保持装置、光学部材、光学装置、光ピックアップ、および、ディスク装置に関する。
【背景技術】
【０００２】
従来、例えばＤＶＤ（Digital Versatile Disc）などの記録媒体に記録された情報の読取処理や記録媒体への情報の記録処理をする情報処理装置が知られている（例えば、非特許文献１参照）。また、記録形式が互いに異なる記録媒体、例えばＣＤ（Compact Disc）およびＤＶＤに対する情報の読取処理などをする情報処理装置の対物レンズが知られている（例えば、非特許文献２参照）。
【０００３】
非特許文献１に記載のものは、ＤＶＤモジュールから出射されたＤＶＤ用レーザ光をＤＶＤの方向に反射させるレーザミラーと、このレーザミラーで反射されたレーザ光を集光してＤＶＤ上に焦点を結ぶフォーカスレンズと、の間に、ホロプレートが配設されている。このホロプレートには、ＤＶＤ用レーザ光を透過させる波長選択絞りが設けられている。そして、この波長選択絞りでＤＶＤ用レーザ光を透過させることにより、ＤＶＤ面に焦点を結ぶ構成が採られている。
【０００４】
非特許文献２に記載のものは、数十段の輪帯状に分割された微細な段差により回折面を形成したレンズを、非球面レンズの面上に合体させた構成を有している。そして、ＤＶＤおよびＣＤに使用される光の波長の違いによる収差の発生をコントロールして、ＤＶＤおよびＣＤに対して完全な像を結ぶ構成が採られている。
【０００５】
【非特許文献１】匠の知恵  光Pick Up原理  （http://takumi.web.infoseek.co.jp/pic/NewDVD.swf、２００４年１１月１７日掲載）
【非特許文献２】ペンタックス株式会社  技術紹介  DVD／CD互換ハイブリッドレンズの基本的概念  DVD／CD 互換ハイブリッドレンズ  （http://www.pentax.co.jp/japan/tech/dvd-cd/index-J.html）、２００４年１１月１７日掲載）
【発明の開示】
【発明が解決しようとする課題】
【０００６】
しかしながら、上述したような非特許文献１のような構成では、ＤＶＤ用レーザ光を透過させるためだけのホロプレートを光路上に設けるため、装置の小型化を図りにくいおそれがあるという問題点が一例として挙げられる。
【０００７】
また、上述したような非特許文献２のような構成では、入射されたＣＤ用レーザ光の一部の光の焦点をＣＤ上で結ぶため、この一部の光以外の光がいわゆるフレアとして発生するおそれがある。このため、このフレアが例えばトラッキング用の受光素子に入射され、トラッキングエラー信号に影響を与えることにより、対物レンズの移動時やＣＤのそりなどによりトラッキングエラー信号のバランスが変動するおそれがあるという問題点が一例として挙げられる。
【０００８】
本発明は、このような点に鑑みて、異なる波長の複数の光を適切に結像可能な光学部材保持装置、光学部材、光学装置、光ピックアップ、および、ディスク装置を提供することを１つの目的とする。
【課題を解決するための手段】
【０００９】
請求項１に記載の発明は、異なる波長の複数の光が略同一の光軸上で進行する光路上に位置して前記複数の光を被結像部材上で結像させる光学部材を保持する光学部材保持装置であって、前記光学部材を前記光路上に位置する状態に保持する保持部と、前記複数の光のうち所定の波長の前記光の一部を遮光しこの一部が遮光された前記光を前記光学部材により前記被結像部材上で結像させ、前記所定の波長の光と異なる少なくともいずれか１つの波長の前記光を透過させて前記光学部材により前記被結像部材上で結像させる選択光透過部と、を具備したことを特徴とした光学部材保持装置である。
【００１０】
請求項４に記載の発明は、異なる波長の複数の光が略同一の光軸上で進行する光路上に位置して前記複数の光を被結像部材上で結像させる対物レンズを保持する光学部材保持装置であって、透光性を有する材料により略環状に形成され前記略環状の軸が前記光軸と略一致する状態に配設された環状部材を具備し、前記環状部材は、前記軸と略直交する一面に前記対物レンズの周縁近傍に対応した曲率の凹面状に形成され、前記対物レンズの周縁近傍を載置する状態に係合して前記対物レンズを前記光路上に位置する状態に保持する保持部と、内縁から径方向外側の所定の位置にかけての略環状部分に設けられ、前記複数の光のうち所定の波長の前記光の一部を遮光するとともにこの一部以外を中空部を進行させて前記光を前記対物レンズにより前記被結像部材上で結像させ、前記所定の波長の光と異なる少なくともいずれか１つの波長の光の一部を透過させるとともにこの一部以外を前記中空部を進行させて前記光を前記対物レンズにより前記被結像部材上で結像させる選択光透過部と、を備えたことを特徴とした光学部材保持装置である。
【００１１】
請求項１０に記載の発明は、異なる波長の複数の光が略同一の光軸上で進行する光路上に位置して前記複数の光を被結像部材上で結像させる光学部材であって、周縁近傍の略環状部分に設けられ、前記複数の光のうち所定の波長の前記光の一部を遮光しこの一部が遮光された前記光を前記光学部材により前記被結像部材上で結像させ、前記所定の波長の光と異なる少なくともいずれか１つの波長の前記光を透過させて前記光学部材により前記被結像部材上で結像させる選択光透過部を具備したことを特徴とした光学部材である。
【００１２】
請求項１３に記載の発明は、請求項１ないし請求項９のいずれかに記載の光学部材保持装置と、この光学部材保持装置の前記保持部により前記光路上に位置する状態に保持された前記光学部材と、を具備したことを特徴とした光学装置である。
【００１３】
請求項１４に記載の発明は、請求項１０ないし請求項１２のいずれかに記載の光学部材と、この光学部材を前記光路上に位置する状態に保持する保持部材と、を具備したことを特徴とした光学装置である。
【００１４】
請求項１５に記載の発明は、異なる波長の複数の光が略同一の光軸上で進行する光路上に位置して前記複数の光を被結像部材上で結像させる光学部材、および、この光学部材を前記光路上に位置する状態に保持する保持部材を備えた光学装置であって、前記光学部材および前記保持部材のうちの少なくともいずれか一方に設けられ、前記複数の光のうち所定の波長の前記光の一部を遮光しこの一部が遮光された前記光を前記光学部材により前記被結像部材上で結像させ、前記所定の波長の光と異なる少なくともいずれか１つの波長の前記光を透過させて前記光学部材により前記被結像部材上で結像させる選択光透過部を具備したことを特徴とした光学装置である。
【００１５】
請求項１７に記載の発明は、互いに異なる波長の複数の光を略同一の光軸上で進行する状態に出射する光出射部と、請求項１３ないし請求項１６のいずれかに記載の光学装置と、を具備したことを特徴とした光ピックアップである。
【００１６】
請求項１８に記載の発明は、請求項１７に記載の光ピックアップと、各種情報が所定の記録形式で記録された記録面を有する前記被結像部材としてのディスク状記録媒体を回転させる駆動手段と、前記記録面に記録された前記情報の読取および前記情報の記録のうちの少なくともいずれか一方の処理をする情報処理手段と、を具備し、前記光ピックアップの前記光学装置は、前記複数の光を前記ディスク状記録媒体の前記記録面上で結像させ、前記情報処理手段は、前記記録面で反射された前記光に基づいて前記いずれか一方の処理をすることを特徴としたディスク装置である。
【発明を実施するための最良の形態】
【００１７】
〔第１の実施の形態〕
以下に、本発明の第１の実施の形態を図面に基づいて説明する。本実施の形態では、記録形式が異なる複数種類の被結像部材としてのディスク状記録媒体である光ディスクに記録された情報を読み出す情報処理である読取処理、および、光ディスクに情報を記録する情報処理である記録処理をするいわゆるスロットインタイプのディスク装置に適用して説明するが、読取処理または記録処理のみをするディスク装置にも適用できる。また、ディスク状記録媒体としては、光ディスクに限らず、磁気ディスク、光磁気ディスクなどのいずれのディスク状記録媒体を対象とすることができる。さらに、例えば外周面に記録面を有した円筒状の記録媒体や一体的に配設された記録媒体など、いずれの記録媒体をも対象とすることができる。また、例えば携帯型のパーソナルコンピュータなどの電気機器に装着されるいわゆる薄型のスロットインタイプで例示するが、例えばゲーム機や映像データの録画などの記録や再生のための処理をする再生装置などの単体の構成としてもよく、薄型の構成に限られない。そして、ディスク装置に限らず、カメラや顕微鏡など異なる波長の複数の光を結像させる構成を有するいずれの光学系機器を対象とすることができる。なお、第１の実施の形態および後述する第２の実施の形態において、光を透過しないとは、光を反射または吸収する旨を意味する。
【００１８】
［ディスク装置の構成］
図１は、第１の実施の形態および第２の実施の形態に係るディスク装置の概略構成を示す平面図である。
【００１９】
図１において、１００はディスク装置で、このディスク装置１００は、例えば車載用のナビゲーション装置に装着されるいわゆる薄型のスロットインタイプである。このディスク装置１００は、着脱可能に装着されるディスク状のＣＤ（Compact Disc）１０およびＤＶＤ（Digital Versatile Disc）２０における少なくとも一面に設けられた記録面に記録された情報を読み出す読取処理、および、記録面へ各種情報を記録する記録処理をする。なお、ＣＤ１０およびＤＶＤ２０が被結像部材としてのディスク状記録媒体に対応する。ここで、以下において、ＣＤ１０およびＤＶＤ２０に対する作用が同じ動作については、ＣＤ１０の場合のみを例示して説明する。そして、ディスク装置１００は、例えば金属製で内部空間を有する略箱形状のケース体１１０を有している。このケース体１１０には、一側面に例えば合成樹脂にて細長板状に形成された化粧板１１１が設けられている。この化粧板１１１には、長手方向に沿って細長スリット状に設けられた図示しない開口部が設けられている。また、ケース体１１０内には、情報処理を実行するディスク処理部２００と、ディスク搬送部５００と、ディスク装置１００全体の動作を制御する図示しないシステム制御部と、が配設されている。
【００２０】
ディスク処理部２００は、対向する一方の台座部２１０および図示しない他方の台座部を有している。これら一方の台座部２１０および他方の台座部は、互いに対向方向で回動可能にケース体１１０内に配設されている。そして、一方の台座部２１０には、他方の台座部に回転可能に支持された図示しない回転子とともにＣＤ１０を回転駆動するディスク回転駆動手段２２０が配設されている。このディスク回転駆動手段２２０は、一方の台座部２１０に配設されシステム制御部の制御により駆動する図示しないスピンドルモータと、このスピンドルモータの出力軸２２１Ａに一体的に設けられたターンテーブル２２２と、を備えている。そして、ターンテーブル２２２は、互いに対向する方向に台座部２１０が回動されることで、他方の台座部に支持された図示しない回転子とによりＣＤ１０を挟持する。
【００２１】
また、一方の台座部２１０には、情報処理部２４０が配設されている。この情報処理部２４０は、一対のガイドシャフト２３０間に架橋する状態に支持される移動保持部２４１を備えている。この移動保持部２４１には、ガイドシャフト２３０を移動可能に嵌挿する保持部２４１Ａと、移動規制爪部２４１Ｂと、を備えている。また、移動保持部２４１には、システム制御部の制御により、ＣＤ１０の記録面に記録された各種情報を読み取って出力回路部へ出力する読取処理や、システム制御部からの各種情報を記録面に記録する記録処理を実施するための情報処理手段としても機能する光ピックアップ３００が配設されている。
【００２２】
さらに、一方の台座部２１０には、ガイドシャフト２３０に支持された情報処理部２４０を移動させる駆動手段としての移動処理手段４００が配設されている。この移動処理手段４００は、システム制御部の制御により駆動するステッピングモータなどの移動用電動モータ４１０と、例えば金属製の細長棒状に形成されたリードスクリュ４２０と、を備えている。リードスクリュ４２０には、情報処理部２４０の移動規制爪部２４１Ｂが係合される螺旋状の係合溝が外周面に設けられている。
【００２３】
また、一方の台座部２１０には、ＣＤ１０がターンテーブル２２２および他方の台座部の回転子で挟持される位置まで搬入されたことを検知して、この検知した旨の検知信号をシステム制御部へ出力する図示しない搬入検知手段が配設されている。
【００２４】
ディスク搬送部５００は、ケース体１１０に配設された支持部材５１０と、この支持部材５１０にＣＤ１０のレーベル面側に位置する状態に固定されたガイド部材５２０と、支持部材５１０にＣＤ１０の記録面側に位置する状態にかつ回動自在に支持された搬送ローラ５３０と、搬送ローラ５３０を回転駆動する駆動手段５４０と、ＣＤ１０の挿入を検知する検知手段５５０と、を備えている。すなわち、ディスク搬送部５００は、搬送ローラ５３０とガイド部材５２０との間にＣＤ１０の搬送経路が設けられ、この搬送経路を通してＣＤ１０を搬送方向に沿ってケース体１１０内に搬入またはケース体１１０内から搬出するものである。
【００２５】
システム制御部は、例えば各種電気部品が搭載された回路基板に回路構成として構成され、ディスク装置１００全体の動作を制御する。また、システム制御部は、搬入検知手段からの検知信号を認識すると、ターンテーブル２２２および回転子にＣＤ１０を挟持させる制御をする。さらに、ＣＤ１０の排出を要求する例えばイジェクトボタンの操作などを認識すると、移動用電動モータ４１０を駆動させて情報処理部２４０を退避移動させる制御をする。また、情報処理部２４０の移動が完了したことを認識すると、ターンテーブル２２２および回転子によるＣＤ１０の挟持を解除させ、ディスク搬送部５００の動作を制御してＣＤ１０を開口部から排出させる制御をする。
【００２６】
（光ピックアップの構成）
次に、上述したディスク装置１００の光ピックアップ３００の構成を図面に基づいて詳細に説明する。なお、光ピックアップ３００としては、ＣＤ１０およびＤＶＤ２０の双方の情報処理が可能な構成を例示して説明するが、上述したように、いずれの記録媒体の情報処理に応じた構成が適用できる。また、光源として、波長が７８０ｎｍのＣＤ用レーザ光Ｌ１（図２参照：以下、ＣＤ光Ｌ１と称す）や波長が６５０ｎｍのＤＶＤ用レーザ光Ｌ２（図２参照：以下、ＤＶＤ光Ｌ２と称す）のみを出射する複数の光源を用いる構成を例示するが、各光Ｌ１，Ｌ２の２波長の出射光を出射可能な光源を用いた構成、１つでさらに他の波長の出射光を出射可能な光源などを用いる構成とするなどしてもよい。図２は、第１の実施の形態および第２の実施の形態に係る光ピックアップの光路構成について説明するための概略構成を示す説明図である。図３は、対物レンズ部の概略構成を示す部分断面図である。
【００２７】
光ピックアップ３００は、図示しないベースを備えている。このベースには、図２に示すように、ＣＤ用の波長の光であるＣＤ光Ｌ１を出射するＣＤ用半導体レーザ３０１と、ＤＶＤ用の波長の光であるＤＶＤ光Ｌ２を出射するＤＶＤ用半導体レーザ３０２と、が配設されている。また、ＣＤ用半導体レーザ３０１のＣＤ光Ｌ１の出射側にはＣＤ用グレーティング３０３が配設され、ＤＶＤ用半導体レーザ３０２のＤＶＤ光Ｌ２の出射側にはＤＶＤ用グレーティング３０４が配設されている。さらに、ＣＤ用半導体レーザ３０１の光軸およびＤＶＤ用半導体レーザ３０２の光軸の交差する位置には、ダイクロイックプリズム３０５が配設されている。このダイクロイックプリズム３０５は、ＤＶＤ光Ｌ２をそのまま透過し、ＣＤ光Ｌ１を光軸方向で略９０°反射して、互いに略同一の光軸となる状態に一側面３０５Ａから出射させる。
【００２８】
また、ベースには、ダイクロイックプリズム３０５の各光Ｌ１，Ｌ２が出射される一側面３０５Ａに近接して、ビームスプリッタ３０６が配設されている。このビームスプリッタ３０６は、ダイクロイックプリズム３０５から出射され一側面３０６Ａから入射される各光Ｌ１，Ｌ２を透過し、一側面３０６Ｂから出射させる。また、ビームスプリッタ３０６は、ＣＤ１０で反射され一側面３０６Ｂから入射される各光Ｌ１，Ｌ２を光軸方向で略９０°反射し、各一側面３０６Ａ，３０６Ｂに略直交する一側面３０６Ｃから出射させる。
【００２９】
一方、ビームスプリッタ３０６の一側面３０６Ｃに対向する位置には、受光部をカバーする樹脂３０８を介して受光素子３０９が配設されている。この受光素子３０９は、ＣＤ１０から反射される出射光を受光する。すなわち、ビームスプリッタ３０６は、ＣＤ用半導体レーザ３０１およびＤＶＤ用半導体レーザ３０２からの各光Ｌ１，Ｌ２を透過し、ＣＤ１０やＤＶＤ２０で反射される各光Ｌ１，Ｌ２を反射して受光素子３０９へ出射させる。この受光素子３０９は、受光した各光Ｌ１，Ｌ２に対応する信号をシステム制御部へ出力する。そして、システム制御部は、受光した各光Ｌ１，Ｌ２に対応する信号に基づいて、適宜情報処理をする。
【００３０】
さらに、ベースには、ビームスプリッタ３０６の一側面３０６Ｂに近接して、波面収差などをするための図示しない液晶パネルが配設されている。また、ベースには、液晶パネルに近接して、透過した各光Ｌ１，Ｌ２が入射されるコリメータレンズ３１０が配設されている。そして、このコリメータレンズ３１０に隣接して、径や広がり角が調整された各光Ｌ１，Ｌ２が透過する図示しない波長板が配設されている。さらに、ベースには、波長板に近接して、コリメータレンズ３１０を透過した各光Ｌ１，Ｌ２を光軸方向で略９０°反射するミラー３２０が配設されている。なお、各半導体レーザ３０１，３０２、各グレーティング３０３，３０４、ダイクロイックプリズム３０５、ビームスプリッタ３０６、コリメータレンズ３１０、および、ミラー３２０にて、本発明の光出射部が構成されている。
【００３１】
また、光ピックアップ３００には、ミラー３２０で反射された各光Ｌ１，Ｌ２をＣＤ１０やＤＶＤ２０の記録面で結像させるための光学装置としての対物レンズ部３４０が設けられている。この対物レンズ部３４０は、図３に示すように、光学部材としての対物レンズ３５０と、光学部材保持装置としてのレンズホルダ３６０と、を備えている。
【００３２】
対物レンズ３５０は、断面略楕円状かつ平面略円形状に形成されている。この対物レンズ３５０は、平面略円形状の外径が、対物レンズ部３４０に入射されるＣＤ光Ｌ１の光束径であるＫ１、および、ＤＶＤ光Ｌ２の光束径であるＫ２よりも大きいＲ１となる形状に形成されている。そして、対物レンズ３５０は、入射される各光Ｌ１，Ｌ２をＣＤ１０やＤＶＤ２０の記録面で結像させる。
【００３３】
レンズホルダ３６０は、対物レンズ３５０をミラー３２０に対向する状態で光軸に沿ったフォーカス方向および光軸に対して直交するトラッキング方向に移動可能に保持する。また、レンズホルダ３６０は、入射される各光Ｌ１，Ｌ２をそれぞれ所定の大きさに絞って対物レンズ３５０に出射する。そして、レンズホルダ３６０は、ＤＶＤ光Ｌ２を透過させてＣＤ光Ｌ１を透過させない材料により、略環状に形成された環状部材としてのホルダ本体３６１を有している。なお、図３では、内容を理解しやすくするために、ホルダ本体３６１の高さ方向の大きさを誇張して示している。
【００３４】
ホルダ本体３６１の外径は、対物レンズ３５０の直径よりも大きいＲ２に形成されている。また、ホルダ本体３６１の内径は、ＣＤ１０での結像に関与するＣＤ光Ｌ１の光束径に対応するＲ３に形成されている。さらに、ホルダ本体３６１の一面３６１Ａの内縁近傍には、対物レンズ３５０を保持する保持部としての保持凹部３６１Ｂが設けられている。この保持凹部３６１Ｂは、対物レンズ３５０の周縁近傍に対応した曲率の凹面状に形成され、対物レンズ３５０の周縁近傍を載置する状態に係合し対物レンズ３５０を保持する。さらに、ホルダ本体３６１の他面３６１Ｃの内縁近傍には、軸方向に略円錐台筒状に膨出する膨出部３６１Ｄが一体に形成されている。この膨出部３６１Ｄにおける軸と略直交する先端面３６１Ｅの外径は、ＤＶＤ２０での結像に関与するＤＶＤ光Ｌ２の光束径に対応するＲ４に形成されている。そして、ホルダ本体３６１における先端面３６１Ｅに対応する想像線で示すような略環状部分が選択光透過部としてのＣＤ光非透過部３６１Ｆとされている。また、膨出部３６１Ｄは、外周面３６１Ｇの母線における傾斜角θが各光Ｌ１，Ｌ２の臨界角以上となる状態に、かつ、他面３６１Ｃとの境界部３６１ＨがＲ１よりも大きいＲ５の直径の略円を描く状態に、先端にしたがって縮径する錐状に形成されている。ここで、外周面３６１Ｇが本発明の非結像部分遮光部として機能する。
【００３５】
［ディスク装置の動作］
次に、ディスク装置１００の動作について図面に基づいて説明する。図４は、ＣＤ装着時における情報処理時のＣＤ用レーザ光の光路を概念的に示す説明図である。図５は、ＤＶＤ装着時における情報処理時のＤＶＤ用レーザ光の光路を概念的に示す説明図である。なお、以下において、ＣＤ装着時の動作について詳細に説明し、ＤＶＤ装着時の動作については説明を簡略化する。
【００３６】
（ＣＤ装着時における情報処理）
まず、ＣＤ１０がディスク装置１００に装着された際の情報処理について説明する。ディスク装置１００は、ＣＤ１０が装着された状態において、ＣＤ１０に例えば記録された情報の再生である読取処理や記録処理などの情報処理の実施要求があることを認識すると、スピンドルモータ、移動用電動モータ４１０および光ピックアップ３００を適宜動作させ、情報処理を実施する。すなわち、ＣＤ用半導体レーザ３０１からＣＤ光Ｌ１を出射させ、ＣＤ１０の記録面に照射させるとともに、反射する光を受光素子３０９で受光し、ＣＤ１０での集光状態に基づくトラッキングエラーやフォーカスエラーを検出し、対物レンズ３５０を適宜移動させて適切にＣＤ１０で集光させて処理する。
【００３７】
そして、情報処理に際して、ＣＤ光Ｌ１は、図４に示すようにＣＤ１０に照射される。具体的には、ＣＤ光Ｌ１は、ダイクロイックプリズム３０５、ビームスプリッタ３０６、コリメータレンズ３１０、ミラー３２０を介してＫ１の光束径で対物レンズ部３４０に入射される。そして、ホルダ本体３６１のＣＤ光非透過部３６１Ｆに入射されるＣＤ光Ｌ１の周縁近傍は、ＣＤ光非透過部３６１ＦがＣＤ光Ｌ１を透過しない材料で形成されているため、このＣＤ光非透過部３６１Ｆで遮光される。一方、ＣＤ光非透過部３６１Ｆで囲まれた略円板状の中空部３６１Ｊに入射されるＣＤ光Ｌ１は、この中空部３６１Ｊを通過して対物レンズ３５０に入射される。すなわち、対物レンズ３５０には、光束径がＫ１からＲ３に絞られたＣＤ光Ｌ１が入射される。そして、対物レンズ３５０に入射されたＲ３のＣＤ光Ｌ１は、ＣＤ１０の記録面で結像される。
【００３８】
（ＤＶＤ装着時における情報処理）
次に、ＤＶＤ２０がディスク装置１００に装着された際の情報処理について説明する。ディスク装置１００は、ＤＶＤ２０が装着された状態において、ＤＶＤ用半導体レーザ３０２からＤＶＤ光Ｌ２を適宜出射させ、ＤＶＤ２０に対する各種情報の読取処理や記録処理などの情報処理を実施する。
【００３９】
そして、情報処理に際して、ＤＶＤ光Ｌ２は、図５に示すようにＤＶＤ２０に照射される。具体的には、ＤＶＤ光Ｌ２は、ＣＤ光Ｌ１の光束径であるＫ１よりも大きいＫ２の光束径で対物レンズ部３４０に入射される。そして、外周面３６１Ｇに入射されるＤＶＤ光Ｌ２の周縁近傍は、外周面３６１Ｇの傾斜角θがＤＶＤ光Ｌ２の臨界角以上なので、外周面３６１Ｇで全反射されて遮光される。一方、ＣＤ光非透過部３６１Ｆに入射されるＤＶＤ光Ｌ２は、ＣＤ光非透過部３６１ＦがＤＶＤ光Ｌ２を透過する材料で形成されているため、このＣＤ光非透過部３６１Ｆを透過して対物レンズ３５０に入射される。また、中空部３６１Ｊに入射されるＤＶＤ光Ｌ２は、対物レンズ３５０に入射される。すなわち、対物レンズ３５０には、光束径がＫ２からＲ４に絞られたＤＶＤ光Ｌ２が入射される。そして、対物レンズ３５０に入射された光束径がＲ４のＤＶＤ光Ｌ２は、ＤＶＤ２０の記録面で結像される。
【００４０】
［第１の実施の形態の作用効果］
上述したように、上記第１の実施の形態では、光ピックアップ３００の対物レンズ部３４０に、略環状に形成されたホルダ本体３６１を有するレンズホルダ３６０を設けている。そして、ホルダ本体３６１の内径を、ＣＤ１０での結像に関与するＣＤ光Ｌ１の光束径に対応するＲ３に形成している。また、ホルダ本体３６１の一面３６１Ａの内縁近傍に、対物レンズ３５０の周縁近傍に対応した凹状に形成され、対物レンズ３５０の周縁近傍を載置する状態に係合して対物レンズ３５０を保持する保持凹部３６１Ｂを設けている。さらに、ホルダ本体３６１における内径、外径がそれぞれＲ３，Ｒ４の略環状部分に、ＣＤ光Ｌ１の周縁近傍を遮光するとともにこの周縁近傍以外を中空部３６１Ｊを通過させて対物レンズ３５０によりＣＤ１０で結像させ、ＤＶＤ光Ｌ２の一部を透過させるとともにこの一部以外を中空部３６１Ｊを通過させて対物レンズ３５０によりＤＶＤ２０で結像させるＣＤ光非透過部３６１Ｆを設けている。このため、ＣＤ光Ｌ１の結像に関与しない周縁近傍を遮光する部材をレンズホルダ３６０と離隔して設ける必要がなく、ＣＤ光Ｌ１の光束径を調整してＣＤ１０で結像させるとともにＤＶＤ光Ｌ２をＤＶＤ２０で結像させる構成の小型化を図ることができる。また、レンズホルダ３６０は、結像に関与しない周縁近傍が遮光された、すなわち光束径がＲ３に絞られたＣＤ光Ｌ１の全てをＣＤ１０で結像させることができ、ＣＤ光Ｌ１のフレアの発生を防止できる。したがって、レンズホルダ３６０は、異なる波長の各光Ｌ１，Ｌ２を適切に結像させることができる。また、中空部３６１Ｊに対応する部分を各光Ｌ１，Ｌ２を透過する材質で構成する場合と比べて、各光Ｌ１，Ｌ２のわずかな屈折や吸収を防ぐことができる。したがって、レンズホルダ３６０は、各光Ｌ１，Ｌ２をより適切に結像させることができる。また、中空部３６１Ｊに対応する部分を各光Ｌ１，Ｌ２を透過する材質で構成する場合と比べて、ホルダ本体３６１の軽量化を図ることができる。
【００４１】
そして、ホルダ本体３６１に、ＣＤ光非透過部３６１Ｆに入射されずＤＶＤ２０上で結像されないＤＶＤ光Ｌ２の周縁近傍を遮光する外周面３６１Ｇを設けている。このため、レンズホルダ３６０は、結像に関与しない周縁近傍が遮光された、すなわち光束径がＲ４に絞られたＤＶＤ光Ｌ２の全てをＤＶＤ２０で結像させることができ、ＤＶＤ光Ｌ２のフレアの発生も防止できる。よって、レンズホルダ３６０は、各光Ｌ１，Ｌ２をより適切に結像させることができる。
【００４２】
さらに、ホルダ本体３６１の他面３６１Ｃの内縁近傍に、外周面３６１Ｇの母線における傾斜角θが各光Ｌ１，Ｌ２の臨界角以上の略円錐台筒状に膨出する膨出部３６１Ｄを形成している。そして、外周面３６１Ｇにて、ＤＶＤ光Ｌ２の周縁近傍を全反射させて遮光する構成としている。このため、ＤＶＤ光Ｌ２の周縁近傍を遮光する部材をホルダ本体３６１と別体で設ける必要がなく、レンズホルダ３６０の構成を簡略にできる。
【００４３】
そして、外周面３６１Ｇを、他面３６１Ｃとの境界部３６１Ｈが対物レンズ３５０の直径のＲ１よりも大きいＲ５の直径を有する略円を描く状態に設けている。このため、外周面３６１Ｇが対物レンズ３５０の周縁よりも外側まで存在しているので、例えばホルダ本体３６１が各光Ｌ１．Ｌ２に対して光軸と略直交する方向にずれてしまい、結像に関与しない各光Ｌ１，Ｌ２の周縁近傍が他面３６１Ｃに入射されたとしても、この他面３６１Ｃを透過した周縁近傍が対物レンズ３５０に入射されることがない。したがって、レンズホルダ３６０は、各光Ｌ１，Ｌ２をさらに適切に結像させることができる。
【００４４】
また、ホルダ本体３６１をＤＶＤ光Ｌ２を透過させてＣＤ光Ｌ１を透過させない材料のみで構成している。このため、上述した材料を成形するだけの簡単な方法で、各光Ｌ１，Ｌ２を適切に結像させることができる。
【００４５】
そして、対物レンズ３５０を保持しかつ各光Ｌ１，Ｌ２の光束径を調整する構成の小型化を図ることができるレンズホルダ３６０を、光ピックアップ３００に適用している。このため、光ピックアップ３００の小型化を図ることができる。また、特別な表面処理が施されていない一般的に安価な対物レンズ３５０を用いても各光Ｌ１，Ｌ２を適切に結像でき、光ピックアップ３００の低コスト化を図ることができる。
【００４６】
さらに、対物レンズ３５０にフレアを発生させない状態に各光Ｌ１，Ｌ２の光束径を調整するレンズホルダ３６０を、ＣＤ１０およびＤＶＤ２０の情報処理をするディスク装置１００に適用している。このため、ディスク装置１００は、従来の構成のように例えばトラッキング用の受光素子にトラッキングエラー信号以外の成分であるフレアが入射するおそれがなく、対物レンズ３５０の移動時や例えばＣＤ１０のそりなどによるトラッキングエラー信号のバランス変動を抑えることができる。したがって、ディスク装置１００は、良好にＣＤ１０やＤＶＤ２０の情報処理をできる。
【００４７】
〔第２の実施の形態〕
次に、本発明の第２の実施の形態を図面に基づいて説明する。本実施の形態では、第１の実施の形態のディスク装置１００と同様の情報処理をするディスク装置を例示して説明する。なお、第１の実施の形態のディスク装置１００と同様の構成については、同一名称を付し、その説明を簡略化する。また、ディスク装置１００と同一の構成については、同一符号を付し、その説明を簡略化する。
【００４８】
［ディスク装置の構成］
図１において、６００はディスク装置で、このディスク装置６００は、化粧板１１１が設けられたケース体１１０を有している。このケース体１１０内には、ディスク処理部７００と、ディスク搬送部５００と、図示しないシステム制御部と、が配設されている。
【００４９】
ディスク処理部７００は、一方の台座部２１０および図示しない他方の台座部を有している。一方の台座部２１０には、ディスク回転駆動手段２２０と、情報処理部７１０と、移動処理手段４００と、図示しない搬入検知手段と、などが配設されている。情報処理部７１０は、ガイドシャフト２３０間に支持される移動保持部２４１を備えている。そして、この移動保持部２４１には、情報処理手段としても機能する光ピックアップ８００が配設されている。
【００５０】
（光ピックアップの構成）
次に、上述したディスク装置６００の光ピックアップ８００の構成を図面に基づいて詳細に説明する。図６は、対物レンズ部の概略構成を示す部分断面図である。図７は、対物レンズの概略構成を示す正面図である。
【００５１】
光ピックアップ８００は、図示しないベースを備えている。このベースには、図２に示すように、ＣＤ用半導体レーザ３０１と、ＤＶＤ用半導体レーザ３０２と、ＣＤ用グレーティング３０３と、ＤＶＤ用グレーティング３０４と、ダイクロイックプリズム３０５と、ビームスプリッタ３０６と、樹脂３０８と、受光素子３０９と、コリメータレンズ３１０と、ミラー３２０と、図示しない、液晶パネルと、波長板と、などが配設されている。
【００５２】
また、光ピックアップ８００には、光学装置としての対物レンズ部８１０が設けられている。この対物レンズ部８１０は、図６に示すように、光学部材としての対物レンズ８２０と、保持部材としてのレンズホルダ８３０と、を備えている。
【００５３】
対物レンズ８２０は、例えば第１の実施の形態の対物レンズ３５０と同様の形状に形成され、対物レンズ３５０と同様の特性を有している。すなわち、対物レンズ８２０は、断面略楕円状かつＲ１の平面略円形状に形成され、入射されるＣＤ光Ｌ１やＤＶＤ光Ｌ２をＣＤ１０やＤＶＤ２０の記録面で結像させる特性を有している。そして、この対物レンズ８２０の入射面８２０Ａにおける略中央近傍には、図７に示すように、各光Ｌ１，Ｌ２を透過する材料で略円形薄膜状に形成された第１のコーティング膜８２１が成膜されている。この第１のコーティング膜８２１の直径は、Ｒ３に形成されている。また、入射面８２０Ａにおける第１のコーティング膜８２１の周縁から入射面８２０Ａの周縁にかけての略環状の範囲には、ＤＶＤ光Ｌ２を透過させてＣＤ光Ｌ１を透過させない材料により薄膜状に形成された選択光透過部としての第２のコーティング膜８２２が成膜されている。そして、各コーティング膜８２１，８２２は、例えば蒸着法などにて成膜されている。ここで、各コーティング膜８２１，８２２としては、単層膜および複層膜のいずれの構成を適用してもよい。また、各コーティング膜８２１，８２２の成膜方法としては、蒸着法に限らず例えばスパッタリング法やディップコート法など各コーティング膜８２１，８２２を成膜可能ないずれの方法を適用してもよい。ここで、第１のコーティング膜８２１を設けずに、第２のコーティング膜８２２のみを設ける構成としてもよい。なお、図６，７では、内容を理解しやすくするために、各コーティング膜８２１，８２２の厚さを誇張して示しており、実際には、各コーティング膜８２１，８２２は、対物レンズ８２０の厚さと比べて極めて薄い厚さで成膜されている。
【００５４】
レンズホルダ８３０は、対物レンズ８２０をミラー３２０に対向する状態でフォーカス方向およびトラッキング方向に移動可能に保持する。また、レンズホルダ８３０は、入射される各光Ｌ１，Ｌ２の光束径を所定の大きさに絞って対物レンズ８２０に向けて出射させる。そして、レンズホルダ８３０は、図６に示すように、各光Ｌ１，Ｌ２を透過しない材料により、略環状に形成されたホルダ本体８３１を有している。なお、図６では、内容を理解しやすくするために、ホルダ本体８３１の厚さを誇張して示している。
【００５５】
ホルダ本体８３１は、外径、内径がそれぞれＲ２，Ｒ４の略環状に形成されている。また、ホルダ本体８３１の一面８３１Ａの内縁近傍には、対物レンズ８２０を保持する保持凹部８３１Ｂが形成されている。この保持凹部８３１Ｂは、対物レンズ８２０の周縁近傍に対応した曲率の凹面状に形成され、対物レンズ８２０の周縁近傍を載置する状態に係合し対物レンズ８２０を保持する。ここで、上述したように、第２のコーティング膜８２２の内径であるＲ３がホルダ本体８３１の内径であるＲ４よりも小さいため、対物レンズ８２０は、第２のコーティング膜８２２の内周側の部分が保持凹部８３１Ｂに保持されずホルダ本体８３１の内側に臨む状態で保持される。
【００５６】
［ディスク装置の動作］
次に、ディスク装置６００の動作について図面に基づいて説明する。図８は、ＣＤ装着時における情報処理時のＣＤ用レーザ光の光路を概念的に示す説明図である。図９は、ＤＶＤ装着時における情報処理時のＤＶＤ用レーザ光の光路を概念的に示す説明図である。なお、以下において、第１の実施の形態のディスク装置１００と同様の動作については説明を簡略化する。
【００５７】
（ＣＤ装着時における情報処理）
まず、ＣＤ１０がディスク装置６００に装着された際の情報処理について説明する。ディスク装置６００は、ＣＤ１０が装着された状態において、ＣＤ用半導体レーザ３０１からＣＤ光Ｌ１を出射させ、ＣＤ１０に対する各種情報の読取処理や記録処理などの情報処理を実施する。
【００５８】
そして、情報処理に際して、ＣＤ光Ｌ１は、図８に示すようにＣＤ１０に照射される。具体的には、ＣＤ光Ｌ１は、Ｋ１の光束径で対物レンズ部８１０に入射される。そして、ホルダ本体８３１の他面８３１Ｃに入射されるＣＤ光Ｌ１は、ホルダ本体８３１がＣＤ光Ｌ１を透過しない材料で形成されているため、他面８３１Ｃで遮光される。一方、ホルダ本体８３１の中空部８３１Ｄに入射されるＣＤ光Ｌ１は、この中空部８３１Ｄを通過して対物レンズ８２０に成膜された各コーティング膜８２１，８２２に入射される。すなわち、各コーティング膜８２１，８２２には、光束径がＫ１からＲ４に絞られたＣＤ光Ｌ１が入射される。
【００５９】
さらに、第２のコーティング膜８２２に入射されるＣＤ光Ｌ１は、第２のコーティング膜８２２がＣＤ光Ｌ１を透過しない材料で形成されているため、第２のコーティング膜８２２で遮光される。一方、第１のコーティング膜８２１に入射されるＣＤ光Ｌ１は、第１のコーティング膜８２１がＣＤ光Ｌ１を透過する材料で形成されているため、第１のコーティング膜８２１を透過して対物レンズ８２０に入射される。すなわち、対物レンズ８２０には、光束径がＲ４からＲ３に絞られたＣＤ光Ｌ１が入射される。そして、対物レンズ８２０に入射された光束径がＲ３のＣＤ光Ｌ１は、ＣＤ１０の記録面で結像される。
【００６０】
（ＤＶＤ装着時における情報処理）
次に、ＤＶＤ２０がディスク装置６００に装着された際の情報処理について説明する。ディスク装置６００は、ＤＶＤ２０が装着された状態において、ＤＶＤ用半導体レーザ３０２からＤＶＤ光Ｌ２を出射させ、ＤＶＤ２０に対する各種情報の読取処理や記録処理などの情報処理を実施する。
【００６１】
そして、情報処理に際して、ＤＶＤ光Ｌ２は、Ｋ２の光束径で対物レンズ部８１０に入射される。そして、ホルダ本体８３１の他面８３１Ｃに入射されるＤＶＤ光Ｌ２は、ホルダ本体８３１がＤＶＤ光Ｌ２を透過しない材料で形成されているため、他面８３１Ｃで遮光される。一方、中空部８３１Ｄに入射されるＤＶＤ光Ｌ２は、各コーティング膜８２１，８２２に入射される。すなわち、各コーティング膜８２１，８２２には、光束径がＫ１からＲ４に絞られたＤＶＤ光Ｌ２が入射される。
【００６２】
さらに、第２のコーティング膜８２２に入射されるＤＶＤ光Ｌ２は、第２のコーティング膜８２２がＤＶＤ光Ｌ２を透過する材料で形成されているため、第２のコーティング膜８２２を透過して対物レンズ８２０に入射される。また、第１のコーティング膜８２１に入射されるＤＶＤ光Ｌ２は、第１のコーティング膜８２１がＤＶＤ光Ｌ２を透過する材料で形成されているため、第１のコーティング膜８２１を透過して対物レンズ８２０に入射される。すなわち、対物レンズ８２０には、光束径がＲ４のＤＶＤ光Ｌ２が入射される。そして、対物レンズ８２０に入射された光束径がＲ４のＤＶＤ光Ｌ２は、ＤＶＤ２０の記録面で結像される。
【００６３】
［第２の実施の形態の作用効果］
上述したように、上記第２の実施の形態では、光ピックアップ３００の対物レンズ部８１０に、対物レンズ８２０と、この対物レンズ８２０を保持するレンズホルダ８３０と、を設けている。そして、対物レンズ８２０の入射面８２０Ａの周縁近傍に、ＣＤ光Ｌ１の周縁近傍を遮光してこの遮光されたＣＤ光Ｌ１を対物レンズ８２０によりＣＤ１０で結像させるとともに、ＤＶＤ光Ｌ２を透過させてＤＶＤ２０で結像させる第２のコーティング膜８２２を設けている。このため、ＣＤ光Ｌ１の結像に関与しない周縁近傍を遮光する部材を対物レンズ部８１０と離隔して設ける必要がなく、ＣＤ光Ｌ１の光束径を調整してＣＤ１０で結像させるとともにＤＶＤ光Ｌ２をＤＶＤ２０で結像させる構成の小型化を図ることができる。また、対物レンズ部８１０は、結像に関与しない周縁近傍が遮光されたＣＤ光Ｌ１の全てを結像させることができ、ＣＤ光Ｌ１のフレアの発生を防止できる。したがって、対物レンズ部８１０は、異なる波長の各光Ｌ１，Ｌ２を適切に結像させることができる。また、対物レンズ部８１０は、ＣＤ光Ｌ１を遮光してＤＶＤ光Ｌ２を透過させる第２のコーティング膜８２２を設けるだけの簡単な構成で、各光Ｌ１，Ｌ２を適切に結像させることができる。
【００６４】
そして、ＣＤ光Ｌ１の周縁近傍を遮光してＤＶＤ光Ｌ２を透過させる構成として、薄膜状の第２のコーティング膜８２２を適用している。このため、例えば第２のコーティング膜８２２と同様の光学特性を有する板状部材を対物レンズ８２０に設ける構成と比べて軽量化を図ることができる。さらに、蒸着法により多量の対物レンズ８２０に対して一度に第２のコーティング膜８２２を成膜できるので、第２のコーティング膜８２２を設ける工程の効率化を図ることができる。
【００６５】
さらに、レンズホルダ８３０のホルダ本体８３１を、各光Ｌ１，Ｌ２を透過しない材料により内径がＲ４の略環状に形成している。そして、レンズホルダ８３０は、ＤＶＤ光Ｌ２の周縁近傍をホルダ本体８３１の内縁近傍部分で遮光する。このため、対物レンズ８２０に、ＤＶＤ光Ｌ２の周縁近傍を遮光する構成を設ける必要がない。したがって、対物レンズ８２０の構成を簡略にできる。
【００６６】
そして、各光Ｌ１，Ｌ２の光束径を調整してＣＤ１０やＤＶＤ２０で結像させる構成の小型化を図ることができる対物レンズ部８１０を、光ピックアップ８００に適用している。このため、光ピックアップ８００の小型化を図ることができる。
【００６７】
さらに、フレアを発生させない対物レンズ部８１０を、ＣＤ１０およびＤＶＤ２０の情報処理をするディスク装置６００に適用している。このため、ディスク装置６００は、従来の構成のように例えばトラッキング用の受光素子にトラッキングエラー信号以外の成分であるフレアが入射するおそれがなく、対物レンズ８２０の移動時や例えばＣＤ１０のそりなどによるトラッキングエラー信号のバランス変動を抑えることができ、良好にＣＤ１０やＤＶＤ２０の情報処理をできる。
【００６８】
〔実施の形態の変形〕
なお、本発明は、上述した一実施の形態に限定されるものではなく、本発明の目的を達成できる範囲で以下に示される変形をも含むものである。
【００６９】
すなわち、第１の実施の形態において、対物レンズ部３４０の代わりに例えば図１０に示すような光学装置としての対物レンズ部３７０を設ける構成としてもよい。この対物レンズ部３７０は、対物レンズ３５０と、光学部材保持装置としてのレンズホルダ３８０と、を備えている。レンズホルダ３８０は、ＤＶＤ光Ｌ２を透過させてＣＤ光Ｌ１を透過させない材料により、略環状に形成された環状部材としてのホルダ本体３８１を有している。なお、図１０では、内容を理解しやすくするために、ホルダ本体３８１の厚さを誇張して示している。このホルダ本体３８１は、外径、内径がそれぞれＲ２，Ｒ３の略環状に形成されている。そして、ホルダ本体３８１の一面３８１Ａの内縁近傍には、保持凹部３６１Ｂと同様の曲率の凹面状に形成され、保持凹部３６１Ｂと同様に対物レンズ３５０を保持する保持部としての保持凹部３８１Ｂが形成されている。また、ホルダ本体３８１の他面３８１Ｃの内縁から径方向外側に所定距離離れた位置には、入射される各光Ｌ１，Ｌ２を乱反射させる状態、例えば凹凸状に表面処理された略環状の非結像部分遮光部としても機能する表面処理部３８１Ｄが形成されている。この表面処理部３８１Ｄは、内径、外径がそれぞれＲ４，Ｒ５に形成されている。そして、ホルダ本体３８１における表面処理部３８１Ｄの径方向内側に対応する想像線で示すような略環状部分が選択光透過部としてのＣＤ光非透過部３８１Ｅとされている。
【００７０】
そして、このような対物レンズ部３７０に光束径がＫ１のＣＤ光Ｌ１が入射された場合、ＣＤ光非透過部３８１ＥがＣＤ光Ｌ１を透過しない材料で形成されているため、対物レンズ３５０には、中空部３８１Ｆを通過したＣＤ光Ｌ１すなわち光束径がＫ１からＲ３に絞られたＣＤ光Ｌ１が入射される。また、対物レンズ部３７０に光束径がＫ２のＤＶＤ光Ｌ２が入射された場合、ＣＤ光非透過部３８１ＥがＤＶＤ光Ｌ２を透過する材料で形成されているとともに、ホルダ本体３８１の一面３８１Ａに内径がＲ４の表面処理部３８１Ｄが設けられているため、対物レンズ３５０には、光束径がＫ２からＲ４に絞られたＤＶＤ光Ｌ２が入射される。
【００７１】
このような構成にしても、ホルダ本体３８１は、第１の実施の形態と同様に、対物レンズ３５０に各光Ｌ１，Ｌ２を適切に結像させることができる。また、ホルダ本体３８１を表面処理して表面処理部３８１Ｄを形成するだけの簡単な構成で、ＤＶＤ光Ｌ２の周縁近傍を遮光できる。さらに、ホルダ本体３８１にホルダ本体３６１のような傾斜角θが所定の値に設定された外周面３６１Ｇを設けていないので、ホルダ本体３８１の成形をより容易にできる。
【００７２】
さらに、第１の実施の形態において、各光Ｌ１，Ｌ２を透過させる材料、例えば各光Ｌ１，Ｌ２を透過させる樹脂材やガラスにてホルダ本体３６１を形成する。そして、先端面３６１Ｅに、ＤＶＤ光Ｌ２を透過させてＣＤ光Ｌ１を透過させない材料により例えば薄膜状や薄板状に形成された選択光透過部を設ける構成としてもよい。ここで、選択光透過部を設ける位置としては、先端面３６１Ｅに限らず、先端面３６１Ｅに対応する位置であれば例えばホルダ本体３６１内部や保持凹部３６１Ｂであってもよい。このような構成にすれば、ホルダ本体３６１を構成する材料を厳密に特定する必要がないので材料の調達を容易にでき、ホルダ本体３６１を容易に製造できる。なお、同様の構成を図１０に示すホルダ本体３８１に適用してもよい。
【００７３】
また、第１の実施の形態において、ホルダ本体３６１を略環状に形成せずに、各光Ｌ１，Ｌ２を透過させる材料にて中空部３６１Ｊを有さない略円板状に形成する。そして、略円板状の表面や裏面あるいは内部における内径、外径がそれぞれＲ３，Ｒ４の略環状部分に、ＤＶＤ光Ｌ２を透過させてＣＤ光Ｌ１を透過させない材料により形成された選択光透過部を設ける構成としてもよい。このような構成にすれば、ホルダ本体３６１に中空部３６１Ｊを設ける必要がなくなるので、第１の実施の形態の構成と比べてホルダ本体３６１を容易に成形できる。なお、このような構成を図１０に示すホルダ本体３８１に適用してもよい。
【００７４】
そして、図１０に示す構成において、表面処理部３８１Ｄの代わりにＤＶＤ光Ｌ２を透過させない材料により例えば薄膜状や薄板状に形成された非結像部分遮光部を設ける構成としてもよい。このような構成にすれば、ホルダ本体３８１を表面処理する必要がなくなり、ホルダ本体３８１の成形をより容易にできる。
【００７５】
さらに、第１の実施の形態や図１０に示す構成において、本発明の非結像部分遮光部を設けない構成としてもよい。すなわち、第１の実施の形態において、膨出部３６１ＤをＣＤ光非透過部３６１Ｆに対応する略環状に形成する構成や、外周面３６１Ｇの傾斜角θを各光Ｌ１，Ｌ２の臨界角以下にする構成としてもよい。また、図１０に示す構成において、表面処理部３８１Ｄを設けない構成としてもよい。このような構成にしても、ＣＤ光Ｌ１の光束径を調整してＣＤ１０で結像させるとともにＤＶＤ光Ｌ２をＤＶＤ２０で結像させる構成の小型化を図ることができ、かつ、結像に関与しない周縁近傍が遮光されたＣＤ光Ｌ１の全てをＣＤ１０で結像させることができる。したがって、対物レンズ部３４０，３７０は、異なる波長の各光Ｌ１，Ｌ２を適切に結像させることができる。
【００７６】
そして、外周面３６１Ｇを、他面３６１Ｃとの境界部３６１Ｈが対物レンズ３５０の直径のＲ１以下の直径を有する略円を描く状態に設ける構成としてもよい。このような構成にすれば、膨出部３６１Ｄ体積を減らすことができ、ホルダ本体３６１の軽量化を図ることができる。
【００７７】
また、第２の実施の形態において、第２のコーティング膜８２２の代わりにＤＶＤ光Ｌ２を透過させてＣＤ光Ｌ１を透過させない材料により薄板状に形成された選択光透過部を設ける構成としてもよい。このような構成にしても、対物レンズ８２０は、第２の実施の形態と同様に、異なる波長の各光Ｌ１，Ｌ２を適切に結像できる。また、例えば選択光透過部を例えば接着剤などで対物レンズ８２０に貼り付ける構成とすれば、蒸着装置のような複雑な設備が不要となり、選択光透過部を設ける工程を簡略化できる。
【００７８】
そして、第２の実施の形態において、ＤＶＤ光Ｌ２の周縁近傍を遮光する構成を対物レンズ８２０に設ける構成としてもよい。すなわち、第２のコーティング膜８２２を、内径および外径がそれぞれＲ３，Ｒ４の略環状の範囲に設ける。また、第２のコーティング膜８２２の周縁から入射面８２０Ａの周縁にかけての略環状の範囲に、各光Ｌ１，Ｌ２を透過しない材料により薄膜状や薄板状に形成された非結像部分遮光部を設ける。ここで、非結像部分遮光部を設ける方法としては、上述したような蒸着法などの成膜方法や接着剤などで貼り付ける方法などのいずれを適用してもよい。そして、ホルダ本体８３１の内径をＲ４よりも大きくする構成としてもよい。このような構成にすれば、対物レンズ８２０のみで各光Ｌ１，Ｌ２の周縁近傍をそれぞれ遮光してＣＤ１０，ＤＶＤ２０で結像させることができる。また、対物レンズ８２０は、フレアを発生させることがない。したがって、対物レンズ８２０は、各光Ｌ１，Ｌ２を適切に結像させることができる。
【００７９】
さらに、第２の実施の形態において、第２のコーティング膜８２２を、対物レンズ８２０の入射面８２０Ａに設けずに、出射面８２０ＢにおけるＣＤ光Ｌ１の周縁近傍が進行する位置に第２のコーティング膜８２２を設ける構成としてもよい。また、図１０に示すような構成において、ホルダ本体３８１を対物レンズ３５０のＣＤ１０側に設けるとともに、表面処理部３８１ＤをＤＶＤ光Ｌ２の周縁近傍が進行する位置に設ける構成としてもよい。
【００８０】
そして、各光Ｌ１，Ｌ２の光束径をそれぞれ絞る構成について例示したが、本発明は波長が異なる３種類以上の光、例えばＣＤ光Ｌ１、ＤＶＤ光Ｌ２、および、ブルーレイ用レーザ光の３種類の光を互いに異なる光束径にそれぞれ絞る構成にも適用できる。さらに、対物レンズ３５０，８２０の代わりに各光Ｌ１，Ｌ２をＣＤ１０，ＤＶＤ２０上で結像させる光学部材、例えば液晶パネルなどを用いた構成に、本発明の光学部材保持装置や選択光透過部あるいは非結像部分遮光部を適用してもよい。また、本発明のレンズホルダ３６０，３８０や対物レンズ８２０を光ピックアップ３００，８００やディスク装置１００，６００に設けた構成について例示したが、それぞれを独立させた構成、カメラや顕微鏡など異なる波長の複数の光を結像させる構成を有するいずれの光学系機器に適用した構成などとしてもよい。
【００８１】
その他、本発明の実施の際の具体的な構造および手順は、本発明の目的を達成できる範囲で他の構造などに適宜変更できる。
【００８２】
〔実施形態の作用効果〕
上述したように、上記実施の形態では、光ピックアップ３００の対物レンズ部３４０に、対物レンズ３５０を保持する保持凹部３６１Ｂと、ＣＤ光Ｌ１の周縁近傍を遮光して対物レンズ３５０によりＣＤ１０で結像させるとともに、ＤＶＤ光Ｌ２を透過させてＤＶＤ２０で結像させるＣＤ光非透過部３６１Ｆと、を備えたレンズホルダ３６０を設けている。このため、ＣＤ光Ｌ１の結像に関与しない周縁近傍を遮光する部材を対物レンズ部３４０と離隔して設ける必要がなく、ＣＤ光Ｌ１の光束径を調整してＣＤ１０で結像させるとともにＤＶＤ光Ｌ２をＤＶＤ２０で結像させる構成の小型化を図ることができる。また、対物レンズ部３４０は、結像に関与しない周縁近傍が遮光されたＣＤ光Ｌ１の全てをＣＤ１０で結像させることができ、ＣＤ光Ｌ１のフレアの発生を防止できる。したがって、対物レンズ部３４０は、異なる波長の各光Ｌ１，Ｌ２を適切に結像させることができる。
【００８３】
また、対物レンズ部３４０のレンズホルダ３６０に、保持凹部３６１Ｂと、ＣＤ光非透過部３６１Ｆと、を設けている。このため、ＣＤ光Ｌ１の周縁近傍を遮光する部材をレンズホルダ３６０と離隔して設ける必要がない。また、レンズホルダ３６０は、対物レンズ３５０に、周縁近傍が遮光されたＣＤ光Ｌ１の全てをＣＤ１０で結像させることができる。したがって、レンズホルダ３６０は、対物レンズ３５０に異なる波長の各光Ｌ１，Ｌ２を適切に結像させることができる。
【００８４】
さらに、対物レンズ部３４０のレンズホルダ３６０に、内径がＣＤ１０での結像に関与するＣＤ光Ｌ１の光束径に対応するＲ３の略環状に形成されたホルダ本体３６１を設けている。そして、ホルダ本体３６１の一面３６１Ａの内縁近傍に、対物レンズ３５０の周縁近傍に対応した凹状に形成された保持凹部３６１Ｂを設けている。さらに、ホルダ本体３６１における内径、外径がそれぞれＲ３，Ｒ４の略環状部分に、ＣＤ光非透過部３６１Ｆを設けている。このため、ＣＤ光Ｌ１の周縁近傍を遮光する部材をレンズホルダ３６０と離隔して設ける必要がない。また、レンズホルダ３６０は、対物レンズ３５０に、周縁近傍が遮光されたＣＤ光Ｌ１の全てをＣＤ１０で結像させることができる。したがって、レンズホルダ３６０は、対物レンズ３５０に異なる波長の各光Ｌ１，Ｌ２を適切に結像させることができる。
【００８５】
そして、光ピックアップ３００の対物レンズ８２０に、ＣＤ光Ｌ１の周縁近傍を遮光して対物レンズ８２０によりＣＤ１０で結像させるとともに、ＤＶＤ光Ｌ２を透過させてＤＶＤ２０で結像させる第２のコーティング膜８２２を設けている。このため、ＣＤ光Ｌ１の結像に関与しない周縁近傍を遮光する部材を対物レンズ８２０と離隔して設ける必要がなく、ＣＤ光Ｌ１の光束径を調整してＣＤ１０で結像させるとともにＤＶＤ光Ｌ２をＤＶＤ２０で結像させる構成の小型化を図ることができる。また、対物レンズ８２０は、結像に関与しない周縁近傍が遮光されたＣＤ光Ｌ１の全てを結像させることができ、ＣＤ光Ｌ１のフレアを発生させることがない。したがって、対物レンズ８２０は、異なる波長の各光Ｌ１，Ｌ２を適切に結像させることができる。
【図面の簡単な説明】
【００８６】
【図１】本発明の第１の実施の形態および第２の実施の形態に係るディスク装置の概略構成を示す平面図である。
【図２】前記第１の実施の形態および前記第２の実施の形態における光ピックアップの光路構成について説明するための概略構成を示す説明図である。
【図３】前記第１の実施の形態における対物レンズ部の概略構成を示す部分断面図である。
【図４】前記第１の実施の形態におけるＣＤ装着時における情報処理時のＣＤ用レーザ光の光路を概念的に示す説明図である。
【図５】前記第１の実施の形態におけるＤＶＤ装着時における情報処理時のＤＶＤ用レーザ光の光路を概念的に示す説明図である。
【図６】前記第２の実施の形態における対物レンズ部の概略構成を示す部分断面図である。
【図７】前記第２の実施の形態における対物レンズの概略構成を示す正面図である。
【図８】前記第２の実施の形態におけるＣＤ装着時における情報処理時のＣＤ用レーザ光の光路を概念的に示す説明図である。
【図９】前記第２の実施の形態におけるＤＶＤ装着時における情報処理時のＤＶＤ用レーザ光の光路を概念的に示す説明図である。
【図１０】本発明の他の実施の形態に係る対物レンズ部の概略構成を示す部分断面図である。
【符号の説明】
【００８７】
１０    被結像部材としてのディスク状記録媒体であるＣＤ
２０    被結像部材としてのディスク状記録媒体であるＤＶＤ
１００，６００    ディスク装置
３００，８００    情報処理手段としても機能する光ピックアップ
３０１    光出射部を構成するＣＤ用半導体レーザ
３０２    光出射部を構成するＤＶＤ用半導体レーザ
３０３    光出射部を構成するＣＤ用グレーティング
３０４    光出射部を構成するＤＶＤ用グレーティング
３０５    光出射部を構成するダイクロイックプリズム
３０６    光出射部を構成するビームスプリッタ
３１０    光出射部を構成するコリメータレンズ
３２０    光出射部を構成するミラー
３４０，３７０，８１０    光学装置としての対物レンズ部
３５０，８２０    光学部材としての対物レンズ
３６０，３８０    光学部材保持装置としてのレンズホルダ
３６１，３８１    環状部材としてのホルダ本体
３６１Ａ    一面
３６１Ｂ，３８１Ｂ    保持部としての保持凹部
３６１Ｃ    他面
３６１Ｄ    膨出部
３６１Ｅ    先端面
３６１Ｆ，３８１Ｅ    選択光透過部としてのＣＤ光非透過部
３６１Ｇ    非結像部分遮光部としても機能する外周面
３６１Ｊ    中空部
３８１Ｄ    非結像部分遮光部としても機能する表面処理部
４００    駆動手段としての移動処理手段
８２２    選択光透過部としての第２のコーティング膜
８３０    保持部材としてのレンズホルダ
θ    傾斜角
【図１】
2006179040.tif 000003
【図２】
2006179040.tif 000004
【図３】
2006179040.tif 000005
【図４】
2006179040.tif 000006
【図５】
2006179040.tif 000007
【図６】
2006179040.tif 000008
【図７】
2006179040.tif 000009
【図８】
2006179040.tif 000010
【図９】
2006179040.tif 000011
【図１０】
2006179040.tif 000012